(57)【要約】【課題】    通信事業者が提供する電話転送サービスを利用することなく、固定電話機から通話先の携帯電話番号に電話を掛けた時に通話先が在席している場合は、通話料金が安価で音質の良い固定電話機に自動的に転送する。【解決手段】サーバーのデータファイルに、固定電話番号に対応する携帯電話番号、メールアドレスを登録し、携帯電話機と固定電話機が接続されているか否かを検知して、その接続状況を自動的にデータファイルに書き込み、第一の固定電話機から、他所の、第二の固定電話機に接続された携帯電話機の電話番号を発呼した場合には、サーバーのデータファイルにアクセスして携帯電話機が第二の固定電話機に接続されている旨を察知し、データファイルに書かれている携帯電話番号に対応する第二の固定電話番号を持ち帰って第二の固定電話番号に発呼する。【選択図】  図１
2004343720.tif 000002
【特許請求の範囲】
【請求項１】
公衆加入回線との接続手段と、
コンピュータ・ネットワークとの接続手段と、
固定電話機との接続手段と、
携帯電話機との接続検出手段と、
制御手段と、
記憶手段と、
データ入力インターフェースと、
データ表示インターフェースと、
番号読み出しプログラムと、
データ転送・取得プログラムと、
を備える装置と、
コンピュータ・ネットワークに接続され、
データファイルと、
ファイル照合プログラムと、
を備えるＷＥＢサーバーと、
から構成される装置及びシステムであって、
前記携帯電話機との接続検出手段によって前記固定電話機に携帯電話機の接続を検知した場合には、番号読み出しプログラムによって読み出した携帯電話番号を、データ転送・取得プログラムによってＷＥＢサーバーが備えるデータファイルに書き込み、
当該発明装置が接続された第一の固定電話機から、他所の、第二の固定電話機に接続された携帯電話機を発呼した場合には、制御手段によって制御された、データ転送・取得プログラムにより、該携帯電話機が有する電話番号をデータとして、ＷＥＢサーバーが備えるデータファイルに送信し、該データを受け渡されたファイル照合プログラムによって、携帯電話機が第二の固定電話機に接続されていることを察知して、ＷＥＢサーバーが備えるデータファイルに記述されている、携帯電話番号に対応し転送先となっている第二の固定電話番号を当該発明装置に持ち帰って、第一の固定電話機から第二の固定電話番号に発呼することを特徴とする通話料金低減装置及びシステム。
【請求項２】
請求項１記載の通話料金低減装置及びシステムであって、ＷＥＢサーバーが備えるデータファイルへの携帯電話機の番号の書き込みは、請求項１記載の方法に加えて、コンピュータ端末装置からの入力操作によっても、実行されるものであることを特徴とする通話料金低減装置及びシステム。
【請求項３】
請求項１記載の通話料金低減装置及びシステムであって、当該発明装置が接続された第一の固定電話機から、他所の、第二の固定電話機に接続された携帯電話機を発呼する場合には、第一の固定電話機から、発呼された携帯電話番号が、データ転送・取得プログラムによってＵＲＬテキストデータ化されてＷＥＢサーバーに送信され、該データの受け渡しを受けたデータ照合プログラム、例えば、ＣＧＩプログラムによってデータファイルの検索をおこない、携帯電話機が第二の固定電話機に接続されていることを察知して、ＷＥＢサーバーが備えるデータファイルに記述されている携帯電話番号に対応する第二の固定電話番号をデータ転送・取得プログラムに再び受け渡して、当該発明装置に返送するものであることを特徴とする通話料金低減装置及システム。
【請求項４】
請求項１記載の通話料金低減装置及びシステムであって、携帯電話機が接続されていない、他所の、第二の固定電話機の番号を当該発明装置が接続された第一の固定電話機から発呼した場合には、発呼された第二の固定電話番号はデータとしてＷＥＢサーバーにデータ転送・取得プログラムによって送信され、該データを受け渡された、ＷＥＢサーバーが備えるファイル照合プログラムによって、第二の固定電話機に携帯電話機が接続されていない旨を察知して、データファイルに記述された転送先、すなわち第三の固定電話番号、あるいは携帯電話番号、あるいはメールアドレスのうち、発呼者が選択した所望のデータを、再びデータ転送・取得プログラムに受け渡し、当該発明装置に返送することを特徴とする通話料金低減装置及びシステム。
【請求項５】
請求項１記載の通話料金低減装置及びシステムであって、前記第一の固定電話機が構内交換機もしくはルーターと接続された多機能電話機であって、当該発明装置が接続された前記多機能電話機から、携帯電話機が接続されていない第二の多機能電話機に対して内線番号を発呼した場合には、発呼された内線番号は、データ転送・取得プログラムによってデータとしてＷＥＢサーバーに送信され、該データを受け渡された、ＷＥＢサーバーが備えるファイル照合プログラムは、携帯電話番号を検索して携帯電話機が第二の多機能電話機に接続されていない旨を察知し、ファイルに記述された転送先データ、すなわち、電話番号、メールアドレスのうち発呼者が選択した所望のデータを、再びデータ転送・取得プログラムに受け渡して、第一の多機能電話機に接続している当該発明装置に返送するものであることを特徴とする通話料金低減装置及びシステム。
【請求項６】
請求項１記載の通話料金低減装置及びシステムであって、前記固定電話機が構内交換機もしくはルーターと接続された多機能電話機であって、第一の携帯電話機が、前記多機能電話機の内線番号を発呼した場合には、携帯電話機が備えるデータ閲覧プログラムによって、発呼された内線番号をＷＥＢサーバーに送信し、該内線番号をデータとして受け渡された、ＷＥＢサーバーが備えるデータ照合プログラムによって、データファイルに記述された内線番号に対応する携帯電話番号を発呼指示文、例えば、「ＰｈｏｎｅＴｏ：」に連ねて、再びデータ閲覧プログラムに受け渡し、第一の携帯電話機に返送するものであることを特徴とする通話料金低減装置及びシステム。
【請求項７】
請求項１から６記載の通話料金低減装置通話料金低減装置は、前記多機能電話機、もしくは前記構内交換機、もしくは通信回線インターフェースに内蔵することを特徴とする通話料金低減装置及びシステム。
【発明の詳細な説明】
【技術分野】
【０００１】  固定電話もしくはＩＰ電話と携帯電話間の転送電話サービスに関する。
【背景技術】
【０００２】  固定電話機と携帯電話機間の転送技術については、特開２００２−３７４５７３「移動電話着信転送申込装置、移動電話着信転送申込方法、及び移動電話着信転送申込プログラム」と特開２００４−３２３３５６「電話交換システム」で述べられているが、いずれも固定電話機に携帯電話機が接続されているか否かを検出して、通信事業者の提供する電話転送サービスに、携帯電話機が固定電話機に接続されている場合には、固定電話番号への転送を依頼し、携帯電話機が固定電話機に接続されていない場合に、携帯電話機への転送を依頼しているにしか過ぎず、通信事業者が提供する電話転送サービスを利用すると、発呼者から転送元までの通話料金は発呼者負担、転送元から転送先までの通話料金は転送者負担となり、発呼者から転送先への通常通話料金に比べて高額な通話料金の負担を強いられる。また選択できる転送先は固定電話番号もしくは携帯電話番号に限られている。
【特許文献１】特開２００２−３７４５７３
【特許文献２】特開２００４−３２３５６
【発明の開示】
【発明が解決しようとする課題】
【０００３】  通信事業者が提供する電話転送サービスを利用することなく、固定電話機から通話先の携帯電話番号に電話を掛けた時に通話先が在席している場合は、通話料金が安価で音質の良い固定電話機に自動的に転送する。また通話先の固定電話番号に電話を掛けた時に通話先が外出中で在席していない場合は、発呼者が所望する通話先の携帯電話機もしくはメールアドレスに接続出来るようにする。
【課題を解決するための手段】
【０００４】  コンピュータ・ネットワーク網に接続されたＷＥＢサーバーのデータファイルに、固定電話番号に対応する携帯電話番号、メールアドレスを登録し、携帯電話機と固定電話機が接続されているか否かを検知して、その接続状況を自動的にＷＥＢサーバーのデータファイルに書き込み、第一の固定電話機から、他所の、第二の固定電話機に接続された携帯電話機の電話番号を発呼した場合には、ＷＥＢサーバーのデータファイルにアクセスして携帯電話機が第二の固定電話機に接続されている旨を察知し、ＷＥＢサーバーのデータファイルに書かれている携帯電話番号に対応する第二の固定電話番号を持ち帰って、第二の固定電話番号に発呼する。【０００５】  また第一の固定電話機から携帯電話機が接続されていない、他所の、第二の固定電話機を発呼した場合には、ＷＥＢサーバーのデータファイルにアクセスして携帯電話機が第二の固定電話機に接続されていない旨を察知し、発呼者が所望する転送先、すなわち、携帯電話番号もしくはメールアドレスを持ち帰って接続する。
【発明の効果】
【０００６】  当該発明装置の利用者同士間では、利用者が携帯電話機を当該発明装置に接続すると、当該発明装置に接続された携帯電話機の番号を読み出して、コンピュータ・ネットワーク上のＷＥＢサーバーが備えるデータファイルに書き込み、当該発明装置が接続している第一の固定電話から携帯電話番号を発呼した場合には、当該発明装置がＷＥＢサーバーのデータファイルの内容を照合して、転送先となる第二の固定電話番号を持ち帰ることにより、通信事業者が提供する有償の転送サービスによらず、また、携帯電話通信事業者の交換機に到達することなく、データファイルに登録されている転送先である固定電話番号に直接に接続される。【０００７】  また、当該発明装置が接続している固定電話機がＩＰ電話網に接続されたものである場合には、転送先としてＩＰ電話機への接続は当然として、メールアドレスを入力することによって、コンピュータ端末装置であっても、転送先としての選択も実行される。
【発明を実施するための最良の形態】
【０００８】  当該発明装置は公衆加入回線、あるいは固定電話機及びコンピュータ・ネットワークに、常時、接続されていていることが前提であり、コンピュータ・ネットワーク上には転送先を登録したデータファイル、ファイル照合プログラムを備えるＷＥＢサーバーを設け、当該発明装置が接続している第一の固定電話機から、第二の固定電話番号を発呼した場合に、携帯電話番号あるいはメールアドレスへの転送設定がなされていた場合には、それらのうちの、データファイルに記述されたデータのうち、所望のデータを当該発明装置に持ち帰り、第一の固定電話機から、携帯電話番号を発呼した場合に、該電話番号を有する携帯電話機が第二の固定電話機に接続されていたときには、第二の固定電話番号を当該発明装置に持ち帰り、第一の固定電話機からの発呼番号を置き換える。
【実施例１】
【０００９】  以下、本発明における実施の形態を図に基づいて説明する。
図１は本発明に係る通話料金低減装置及びシステムの全体構成例を示す図であって、ＣＰＵ１、メモリ２、携帯電話機用有線インターフェース３、携帯電話機用無線インターフェース４、公衆加入回線用インターフェース５、固定電話機用インターフェース６、コンピュータ・ネットワーク用インターフェース７、Ａ／Ｄ変換回路又はＤ／Ａ変換回路８、データ表示・インターフェース９、データ入力・インターフェース１０、コンピュータ・ネットワーク１１、ＷＥＢサーバー１２、データファイル１３を備え、構内交換機が使用されている場合には、公衆加入回線用インターフェース５に構内交換機とのインターフェースが含まれる。【００１０】  ＣＰＵ１は携帯電話機のデータ入出力端子と接続している携帯電話機との有線インターフェース３によって携帯電話機が接続されたことを示す信号を検知して、メモリ２に格納されている携帯電話番号を読み出す携帯電話番号読み出しプログラムを起動して番号を読み出し、データ転送・取得プログラムによってＷＥＢサーバーが備えるデータファイルに書き込む。【００１１】  携帯電話機が有線インターフェース３によらず、本発明装置が備える、無線による信号受信装置、例えばブルー・トゥース、ＲＦ−ＩＤ、赤外線通信、あるいは超音波を含む携帯電話機用無線インターフェース４に対して、携帯電話機が内蔵する無線信号発信装置、例えば、ブルー・トゥース、ＲＦ−ＩＤ、赤外線通信、あるいは超音波等の発信装置から発信される番号報知信号によって、接続された携帯電話機の電話番号を取得してもよい。【００１２】  前段落において、ブルー・トゥース、赤外線通信あるいは超音波によって番号の報知を実行し、転送設定を解除する場合には、データ入力・インターフェース１１に接続されたキーボード又はＰＣ、あるいは携帯電話機等によって転送の解除操作をおこなう。【００１３】  ＲＦ−ＩＤによる番号の報知を実行する場合には、携帯電話機用無線インターフェース４には、ＲＦ−ＩＤのデータ読み取り装置を含み、ＣＰＵ１は該装置から一定時間ごとに読み取り信号電波を発信して、携帯電話機が備えるＲＦ−ＩＤ発信機に対して、その番号を発信するよう促し、その番号の返信が得られなかった場合には、本装置が備えるＲＦ−ＩＤのデータ読み取り装置の受信可能電界を脱した、すなわち、近傍外に脱したと判断して携帯電話機と固定電話機との接続の解除操作を実行する。【００１４】  公衆加入回線用インターフェース５、固定電話機用インターフェース６、及びコンピュータ・ネットワーク用インターフェース７は、公衆加入回線、固定電話機及びコンピュータ・ネットワークのそれぞれのインターフェースと有線あるいは無線によって接続される。【００１５】  Ａ／Ｄ変換回路及びＤ／Ａ変換回路８は、公衆加入回線からの着呼信号、あるいは固定電話機から入力されたアナログ信号による電話番号データをデジタル信号に変換して本発明装置に導入し、あるいは転送先番号データを、再びアナログ信号に変換して、発呼信号として固定電話機に導出し、あるいは公衆加入回線に送出する。【００１６】  データ表示・インターフェース９は、転送設定の有無や、転送設定の内容を表示するディスプレーを接続し、データ入力・インタ���フェース１０は、手動によって、所望の転送先の入力操作、あるいは転送先の削除操作を行う、キーボードあるいはＰＣが接続される。【００１７】  コンピュータ・ネットワーク１１は、いわゆるインターネット、あるいはイントラネットであって、ＷＥＢサーバー・コンピュータ１２にはＩＰアドレスを付与して、本発明装置によって実行される、ファイル取得のためのコンピュータ・プログラムに対応するコンピュータ・プログラムによって、データファイル１３を管理する。【００１８】  本発明装置が接続されている第一の固定電話機から、携帯電話機が接続されていない第二の固定電話機を発呼した場合に、ＷＥＢサーバーはファイルに記述されている転送先を、
発呼者に選択肢として選択させる、すなわち、電話番号、メールアドレスを、例えば、音声ガイダンスと特定のキー操作によって、それを実行させる。【００１９】  以上のように構成されているため、当該発明装置が接続している、第一の固定電話機から、第二の固定電話機に接続している携帯電話機を発呼した場合には、発呼された携帯電話番号が、Ａ／Ｄ変換回路及びＤ／Ａ変換回路８によって、Ａ／Ｄ変換され、データ転送・取得プログラムによって、ＵＲＬテキストデータ化されてＷＥＢサーバーに送信され、該データの受け渡しを受けたデータ照合プログラム、例えば、ＣＧＩプログラムによってデータファイル１３の検索をおこない、転送設定が有効な状態にある場合には、データファイル１３に記述されている第二の固定電話番号を、再びデータ転送・取得プログラムに受して、当該発明装置に返信する。【００２０】  前記によって、当該発明装置が取得した第二の固定電話機の電話番号は、Ａ／Ｄ変換回路及びＤ／Ａ変換回路８によって、Ｄ／Ａ変換されて発呼番号として公衆加入回線に送出される。
【産業上の利用可能性】
【００２１】  インターネットの普及とデジタル通信技術の発達にともない、文字列、音声、画像間のデータとしての区別なく、低廉な料金による通信が可能になる一方、携帯電話機を利用する音声通話を含むデータ通信は、有限な資源である無線帯域を利用しているため、電波の性質に由来する技術的制約やコストの制約を避けることは出来ない。
本発明は、このような状況下にあっても、コストや通話品質、通話可能域に制約のある携帯電話機への着信を、携帯電話通信事業者の交換機を経由することなく、固定電話網を利用した通信、あるいはＩＰ電話網を利用した通信に置き換えることによって、低廉な料金による通話と通話品質を確保すると同時に、通話不能域にあっても着信を逃すことなく、ビジネス上の機会損失を最小限に抑えると共に、企業などにおいては、社員が携行する携帯電話機が当該装置へドッキング状態にあるか否か、あるいはドッキング予定時刻又はドッキング解除予定時刻の報知によって、その在否を容易に確認することが出来る。
【図面の簡単な説明】
【００２２】
【図１】本発明による通話料金節減装置の全体構成例を示す図である。（実施例１）
【符号の説明】
【００２３】１  ＣＰＵ
２  メモリ
３  携帯電話機用有線インターフェース
４  携帯電話機用無線インターフェース
５  公衆加入回線用インターフェース
６  固定電話機用インターフェース
７  コンピュータ・ネットワーク用インターフェース
８  Ａ／Ｄ変喚回路及びＤ／Ａ変喚回路
９  データ表示・インターフェース
１０  データ入力・インターフェース
１１  コンピュータ・ネットワーク
１２  ＷＥＢサーバー
１３  データファイル
【図１】
2004343720.tif 000003